(57)【要約】【課題】  ヘッド及びインクタンクの交換時に、キャリッジを固定し、交換を容易にする。【解決手段】  キャリッジがインクタンク交換ポジションにいる状態において、アクセスカバーの開閉を検知するためのカバーアームにより、キャリッジが固定される。【選択図】        図１
2006205493.tif 000002
【特許請求の範囲】
【請求項１】
キャリッジに着脱可能に搭載されたヘッド及びインクタンクと、
前記ヘッド及びインクタンクを交換するために設けられたアクセスカバーと、前記アクセスカバー開閉に伴い連動するカバーアームと、前記カバーアームにより作動させられ前記アクセスカバーの開閉を検知するカバーオープン検出手段と、
で構成されているインクジェット記録装置において、
前記アクセスカバーを開け、連動する前記カバーアームが作動して前記カバーオープン検出手段によりアクセスカバー開いていることを検知した場合は、
前記キャリッジが、ヘッド及びインクタンク交換ポジションに移動し、前記カバーアームと前記キャリッジとに設けられていて互いに系合する形状により、前記キャリッジが走査方向に固定されることを特徴とするインクジェット記録装置。
【請求項２】
前記カバーアームの系合する形状には、キャリッジ走査方向の両側に前記系合形状に入るガイド面をもつことを特徴とする請求項１に記載のインクジェット記録装置。
【請求項３】
前記カバーアームの系合する形状には、キャリッジ走査方向に前記系合形状から抜け出るガイド面をもつことを特徴とする請求項１に記載のインクジェット記録装置。
【発明の詳細な説明】
【技術分野】
【０００１】
本発明はインクジェット記録装置に関するものであり、さらには、キャリッジに搭載されているインクタンクの交換に関するものである。
【背景技術】
【０００２】
従来、特許文献１により提案された記録装置のように、キャリッジに搭載されている交換可能なインクタンクを装着したヘッドを走査して記録を行う記録装置では、そのインクタンクを交換する際は、インクタンク交換用のアクセスカバーを開けると、開けたことを、カバーオープン検出センサーが検知する方法があり、インクタンクを交換可能な位置のポジションまでキャリッジを移動させる技術が公開されていた。
【特許文献１】特開平９−２９５４１０号公報
【発明の開示】
【発明が解決しようとする課題】
【０００３】
しかしながら従来のインクジェット記録装置によると、アクセスカバーを開けて、インクタンクを交換する際に、キャリッジが固定されておらず交換作業が難しかった。
【０００４】
本発明の目的は、上記従来技術の課題を解決し、キャリッジを確実に固定してインクタンクの交換操作を向上させたインクジェット記録装置を提供することにある。
【課題を解決するための手段】
【０００５】
本発明は前記問題を解消するための手段として下記の構成をとる。
【０００６】
インクジェット記録装置において、
アクセスカバーを閉めた状態において、アクセスカバーの開閉に伴い連動するカバーアームの作動により、カバーオープン検出手段が検知することにより、アクセスカバーが閉まっていることを検知する。
【０００７】
アクセスカバーを開けると、アクセスカバーの開閉に伴い連動するカバーアームが作動しカバーオープン検出手段が検知することにより、アクセスカバー開いていることを検知する。
【０００８】
次に、アクセスカバーを開け、アクセスカバー開いていることを検知した時に、キャリッジはキャリッジモータにより、インクタンク交換ポジションに移動し、移動した状態においては、カバーアームとキャリッジとに設けられている系合形状により、キャリッジが固定される。
【０００９】
すなわち、本発明の技術内容は以下の構成を備えることにより前記課題を解決できた。
【００１０】
（１）キャリッジに着脱可能に搭載されたヘッド及びインクタンクと、前記ヘッド及びインクタンクを交換するために設けられたアクセスカバーと、前記アクセスカバー開閉に伴い連動するカバーアームと、前記カバーアームにより作動させられ前記アクセスカバーの開閉を検知するカバーオープン検出手段とで構成されているインクジェット記録装置において、前記アクセスカバーを開け、連動する前記カバーアームが作動して前記カバーオープン検出手段によりアクセスカバー開いていることを検知した場合は、前記キャリッジが、ヘッド及びインクタンク交換ポジションに移動し、前記カバーアームと前記キャリッジとに設けられていて互いに系合する形状により、前記キャリッジが走査方向に固定されることを特徴とするインクジェット記録装置。
【発明の効果】
【００１１】
本発明にかかるインクジェット記録装置の構成によれば、以下のような効果が得られる。
【００１２】
キャリッジがインクタンク交換ポジションにいる状態においては、カバーアームにより固定されて移動することができず、インクタンクの交換の操作性を向上させることが可能になった。
【００１３】
また、キャリッジの固定部材が、アクセスカバーの開閉を検知するカバーアームと兼ねているので、構成が簡易で、コストメリットがある。
【００１４】
さらには、キャリッジは、インクタンク交換ポジションにおいて、キャリッジモータによる固定方法をとることも不要なため電源を使わず、省エネになるというメリットもある。
【００１５】
本発明は、以上の効果をもつインクジェットプリンタを提供する。
【発明を実施するための最良の形態】
【００１６】
以下図面を参照しながら、本発明の実施の形態について詳細に説明する。
【実施例１】
【００１７】
図１は本発明の第１実施形態によるインクジェット記録装置の全体構成を示す斜視図である。
【００１８】
図２は、図１の本発明の第１実施形態によるインクジェット記録装置の全体構成を示す側面図である。
【００１９】
図１及び図２にそって、説明する。
【００２０】
インクにより記録用紙に記録を行うヘッド２を保持するキャリッジ１が、記録装置に組み込まれた不図示のフレームに両端部が固定され配置されたガイドシャフト４に案内されて、矢印Ｅ及び矢印Ｆ方向の記録用紙の面に平行である主走査方向に摺動自在に支持されている。
【００２１】
また、不図示のフレームにキャリッジモータ６と不図示のアイドラプーリとの間にガイドシャフト４と平行な方向に掛けられているベルト５の一箇所にキャリジ１が固定されている。よってキャリッジモータ６を駆動することで、ベルト５を介して、キャリッジ１がガイドシャフト４に沿った方向に往復移動する構成になっている。
【００２２】
ヘッド２は、キャリッジ１に設けられた穴部１ａを中心に回動自在に軸支されているロックレバー８により、固定されている。
【００２３】
そして、ヘッド２には、黒インクが充填されているブラックインクタンク３ａと、区切られた部屋３個をもち、それぞれの部屋にシアンインク、マゼンタインク、イエローインクが充填されているカラーインクタンク３ｂとが、取り付け取り外し自在に連結固定されている。
【００２４】
次に、アクセスカバー９は、分かりやすいように半分にして図示されているが、このアクセスカバー９は、アクセスカバー９の下部に設けられた穴部９ａを中心に回動する。
【００２５】
矢印Ａ方向に回動させアクセスカバー９を開けると、ブラックインクタンク３ａ、カラーインクタンク３ｂやヘッド２を交換でき、矢印Ｂ方向に回動させアクセスカバー９を閉めることができる。
【００２６】
また、記録装置内部で、キャリッジ１の走査範囲上部には、カバーアーム１０が設けられており、このカバーアーム１０は、軸部１０ａを中心に回動自在に軸支されている。
【００２７】
カバーアーム１０の一端１０ｄ側には、下部に凸器部１０ｅが設けられており、この凸器１０ｅが、基板１２に設けられた、カバーオープン検出用のＳＷ１３を押して、ＯＮ／ＯＦＦさせるように構成されている。
【００２８】
さらには、カバーアーム１０の一端１０ｄ側に設けられたフック部１０ｂにはバネ１１が掛けられており、矢印Ｇ方向にカバーアーム１０を引っ張り、軸部１０ａ中心に矢印Ｃ方向に回転させようとしている。
【００２９】
また、アクセスカバー９の上部の記録装置内部側に設けられた突起形状９ｂがあり、アクセスカバー９を閉めた状態では、カバーアーム１０の一端１０ｃ側を持ち上げ、カバーアーム１０を軸部１０ａ中心にバネ１１の力に反する方向の矢印Ｄ方向に回動させる。この時、前記基板１２に設けられた、カバーオープン検出用のＳＷ１３を押してＯＮ状態にさせることにより、アクセスカバー９を閉めたことが記録装置として認識される。
【００３０】
図３は本発明の第１の実施形態によるインクジェット記録装置の全体構成を示す斜視図で、アクセスカバー９が開けられている状態である。但し、アクセスカバー９は、図３から省いてある。図４は、図３の本発明の第１実施形態によるインクジェット記録装置の全体構成を示す側面図である。
【００３１】
ここで、アクセスカバー９を開け閉めした時の、各部品の動きについて説明する。
【００３２】
まず、アクセスカバー９を閉めた時の状態について説明する。
【００３３】
図１、図２に示されるように、アクセスカバー９を閉めた状態では、アクセスカバー９に設けられた突起形状９ｂが、カバーアーム１０の一端１０ｃ側を持ち上げ、カバーアーム１０を軸部１０ａ中心にバネ１１の力に反する方向の矢印Ｄ方向に回動する。それにより、カバーアーム１０の一端１０ｄ側が押し下げられ、カバーアーム１０の下部に設けられた凸器１０ｅが、基板１２に設けられたカバーオープン検出用のＳＷ１３を押してＯＮ状態になり、アクセスカバー９が閉まったと記録装置は認識される。そして、アクセスカバー９が閉まると、キャリッジ１はキャリッジモータ６により、印字に備えてＨＰである右端に矢印Ｆ方向に移動する。
【００３４】
この状態では、キャリッジ１とカバーアーム１０は接触しておらず、キャリッジ１は、走査方向に自由に動くことが可能である。
【００３５】
次に、アクセスカバー９を開けた時の状態について、図６におけるアクセスカバー９のカバーオープン時を示したフローチャートと図３，４，５とともに説明する。
【００３６】
図３、図４に示されるように、アクセスカバー９を開けられた状態（フローチャートＳ１）では、アクセスカバー９に設けられた突起形状９ｂが、カバーアーム１０の一端１０ｃから離れるため、カバーアーム１０は、軸部１０ａ中心にバネ１１の力により矢印Ｃ方向に回動し、カバーアーム１０の一端１０ｄ側の上面が、ストッパ１４にあたり止まる。この時、カバーアーム１０の一端１０ｄ側が押し上げられ、カバーアーム１０の下部に設けられた凸器部１０ｅが、基板１２に設けられたカバーオープン検出用のＳＷ１３からはなれて、カバーオープン検出用のＳＷ１３から、ＯＦＦ状態（フローチャートＳ２）になり、アクセスカバー９が開いたと記録装置は認識される。
【００３７】
そして、アクセスカバー９が開くと、キャリッジ１はキャリッジモータ６により、インクタンク交換ポジションに移動（フローチャートＳ３）する。
【００３８】
この状態を、キャリッジ１とカバーアーム１０の交差する部分の断面図である図５を用いて説明する。
【００３９】
キャリッジ１は、キャリッジモータ６により矢印Ｅ方向（及び矢印Ｆ方向）に向かって動いていく。すると、キャリッジ１の上部面に設けられている突起１ｂは、カバーアーム１０のキャリッジ１の進入方向にたいして、一部が切りかかれている部分と交差する。
【００４０】
まず、キャリッジの突起１ｂは、カバーアーム１０の斜面１０ｆ（１０ｇ）と交差する。これにより、カバーアーム１０は、キャリッジの突起１ｂにより持ち上げられ、軸部１０ａを中心に、図４の矢印Ｄ方向に回動させられる。但し、このときカバーアーム１０の一端１０ｄに設けられている凸器部１０ｅが、カバーオープン検出用のＳＷ１３と接する状態までは、回動しない。
【００４１】
そして、さらにキャリッジ１が矢印Ｅ方向（矢印Ｆ方向）に移動すると、キャリッジの突起１ｂは、カバーアーム１０の凹面１０ｈにはまり込む。この図５の状態になると、キャリッジ１は、インクタンク交換の動作に耐えうるだけの矢印Ｅ及びＦ方向両方ともに固定状態となる（フローチャートＳ４）。
【００４２】
この状態は、キャリッジ１のインクタンク交換ポジションで、カバーアームにより固定されて移動することができず、インクタンク３ａ、３ｂの交換の操作性を向上させることが可能になった。この時、キャリッジ１は、固定されているため、キャリッジモータ６の通電をＯＦＦ（フローチャートＳ５）にできる。
【００４３】
ここで、アクセスカバー９を開けられた状態で、キャリッジ１がインクタンク交換ポジションに長い間放置されると、ヘッド２が乾燥しダメージが与えられる可能性が考えられる。
【００４４】
この時は、ある一定の時間がたつと、キャリッジ１は、カバーアームに固定されている力より大きな力のキャリッジモータ６の駆動が与えられ、キャリッジ１は、矢印Ｆ方向に動きだし、この時キャリッジ１の突起１ｂは、カバーアーム１０の凹面１０ｈから、斜面１０ｉを通過して、ＨＰにもどりヘッド２が不図示のキャップで保護され乾燥を防ぐことができる。
【図面の簡単な説明】
【００４５】
【図１】本発明のインクジェット記録装置の全体構成を示す斜視図で、アクセスカバーが閉まった状態の図である。
【図２】本発明のインクジェット記録装置の全体構成を示す側面で、アクセスカバーが閉まった状態の図である。
【図３】本発明のインクジェット記録装置の全体構成を示す斜視図で、アクセスカバーが開いた状態の図である。
【図４】本発明のインクジェット記録装置の全体構成を示す側面図で、アクセスカバーが開いた状態の図である。
【図５】本発明のインクジェット記録装置の断面図で、キャリッジがカバーアームにより固定されている状態の図である。
【図６】本発明のインクジェット記録装置のアクセスカバーのカバーオープン時を示したフローチャートである。
【符号の説明】
【００４６】
１    キャリッジ
２    ヘッド
３ａ  ブラックインクタンク
３ｂ  カラーインクタンク
９    アクセスカバー
１０  カバーアーム
１３  カバーオープン検出用のＳＷ
【図１】
2006205493.tif 000003
【図２】
2006205493.tif 000004
【図３】
2006205493.tif 000005
【図４】
2006205493.tif 000006
【図５】
2006205493.tif 000007
【図６】
2006205493.tif 000008